(57)【要約】【課題】  膀胱に挿入した際に、膀胱内壁を損傷しない、膀胱用カテーテルを提供する。【解決手段】  シャフト３の内部に高分子材料で被膜されたワイヤ７を挿通することにより、カテーテルを任意の角度に屈曲させ、屈曲した構造を保持できるようになる。屈曲部６をほぼ直角とし、腹部孔１１を介して膀胱１２に挿入すると、側孔１の部分が膀胱内壁１３に接触する可能性が減少し、それに伴い膀胱内壁が１３を損傷することが少なくなる。また、カテーテルが抜ける可能性が減少する。【選択図】図１
2019017965.tif 000002
【特許請求の範囲】
【請求項１】
一方の端部にファネルを備え、他方の端にバルーンを備えたシャフトを有する尿道膀胱用カテーテルにおいて、前記シャフトの前記ファネルと前記バルーンの間に、高分子材料で被覆されたワイヤが挿通され、前記シャフトが任意の角度に屈曲可能であることを特徴とする、膀胱用カテーテル。
【請求項２】
前記シャフトの所要の位置を直角に屈曲し、前記シャフトの前記バルーンを備えた側の端部を、腹部に設けた腹部孔を介して膀胱の内部に挿入し、前記シャフトの屈曲した部分から前記シャフトの前記ファネルを備えた端の間を前記腹部に密着させることを特徴とする請求項１に記載の、膀胱用カテーテルの使用方法。
【発明の詳細な説明】
【技術分野】
【０００１】  本発明は医療用のカテーテルに関わり、特に膀胱に用いるカテーテルに関するものである。
【背景技術】
【０００２】  カテーテルは、医療用に用いられる可撓性を備えた管であり、体内の所要の部位に挿入し、体液の採取や排出、薬液や造影剤の注入に用いられている。【０００３】  そして、加齢による膀胱機能障害、膀胱炎などによる膀胱機能低下、尿道炎や尿道結石など尿路の閉塞、前立腺肥大症による排尿異常などを起こしている患者に対しては、尿道を経由させたり、腹部に設けた腹部孔を経由させたりして、カテーテルを膀胱内に挿入して用いることがある。【０００４】  図３は、従来のカテーテルの一例を示す図で、図３において、２７はシャフト、２８はカテーテル袋である。また図２は、従来のカテーテルを、腹部孔を経由させて、膀胱内に挿入した例を示す図であり、図２（ａ）は正面図、図２（ｂ）はシャフトの断面図である。図２において、１４は側孔、１５はバルーン、１６はシャフト、１７はバルブ、１８はファネル、１９は屈曲部、２０はワイヤ、２１はワイヤ保護管、２２はバルーンエア管、２３は腹部、２４は腹部孔、２５は膀胱、２６は膀胱内壁である。【０００５】  従来のカテーテルは材質が柔らかいが、任意の角度に屈曲させるのが困難である。そのため、図２に示したように、腹部孔２４から膀胱２５に挿入されると、膀胱２５の膀胱内壁２６に、カテーテルのバルーン１５の先端が接触する可能性が高くなる。その結果、膀胱内壁２６の損傷や、膀洸内壁２６より出血及び血塊、炎症、感染症等が起こる可能性がある。【０００６】  ファネル１８またはバルブ１７ら挿入されたカテーテルは、直線状に腹部２３に到達し、腹部孔２４から膀洸２５に挿入される。その時、従来のカテーテルは直線的であるため、腹部孔２４から挿入されたとき、腹部孔２４でカテーテルが盛り上がり腹部２３に密着されなくなる。その結果、膀胱２５に斜めに挿入されたカテーテルのバルーン１５の先端が膀胱内壁２６に接触し、膀胱内壁２６が損傷される。カテーテル包装袋が血液で真赤に染まりさらに血塊、炎症、感染症等が起こりやすくなる可能性がある。さらには容易にカテーテルがずれたり、抜けたりする可能性がある。【０００７】  膀胱に用いる例として、特許文献１に装置は、末端チップ、基端部、細長本体に貫通する１つまたはそれ以上のチャネルを設けた、細長本体を有するカテーテルを備え、挿入時にカテーテルを案内するためのガイドワイヤを、１つまたはそれ以上チャンネルのうち、１つのチャネルに挿通し、さらに、細長本体の基端部、または基端部の近傍に、ガイドワイヤ洗浄液を、ガイドワイヤを挿通したチャンネルに導入するための、潤滑ポートを設けてなる尿道狭窄拡張が開示されている。しかし、この先行技術は、前記の課題に対応したものではない。
【先行技術文献】
【特許文献】
【０００８】
【特許文献１】特開２０１５−０１３１９７号公報
【発明の概要】
【発明が解決しようとする課題】
【０００９】  したがって本発明の課題は、前記の課題に鑑み、膀胱に挿入した際に、膀胱内壁を損傷しない、膀胱用カテーテルを提供することである。
【課題を解決するための手段】
【００１０】  本発明は、前記課題の解決のため、シャフトに挿通するワイヤの構造と、カテーテルを腹部孔に挿入する方法を再検討した結果、なされたものである。【００１１】  即ち、本発明は、一方の端部にファネルを備え、他方の端にバルーンを備えたシャフトを有する尿道膀胱用カテーテルにおいて、前記シャフトの前記ファネルと前記バルーンの間に、高分子材料で被覆されたワイヤが挿通され、前記シャフトが任意の角度に屈曲可能であることを特徴とする、膀胱用カテーテルである。【００１２】  また、本発明は、前記シャフトの所要の位置を直角に屈曲し、前記シャフトの前記バルーンを備えた側の端部を、腹部に設けた腹部孔を介して膀胱の内部に挿入し、前記シャフトの屈曲した部分から前記シャフトの前記ファネルを備えた端の間を前記腹部に密着させることを特徴とする、前記の膀胱用カテーテルの使用方法である。
【発明の効果】
【００１３】  本発明に係る膀胱用カテーテルにおいては、ワイヤが高分子材料で被覆され、シャフトをほぼ直角に屈曲させて、腹部孔を介して膀胱に挿入するので、膀胱内壁を傷つける可能性が極めて小さくなる。被覆に用いる高分子材料としては、特に限定されないが、ポリウレタン、フッ素樹脂などを用いることが可能で、ワイヤにはＴｉ−Ｎｉ系超弾性合金などが用いられる。
【図面の簡単な説明】
【００１４】
【図１】  本発明に係るカテーテルを、腹部孔を経由させて、膀胱内に挿入した例を示す図、図１（ａ）は正面図、図２（ｂ）はシャフトの断面図。
【図２】  従来のカテーテルを、腹部孔を経由させて、膀胱内に挿入した例を示す図、図２（ａ）は正面図、図２（ｂ）はシャフトの断面図。
【図３】  従来のカテーテルの一例を示す図
【発明を実施するための形態】
【００１５】  次に、具体的な図を参照しながら、本発明の実施の形態について説明する。図１は、本発明に係るカテーテルを、腹部孔を経由させて、膀胱内に挿入した例を示す図であり、図１（ａ）は正面図、図２（ｂ）はシャフトの断面図である。図１において、１は側孔、２はバルーン、３はシャフト、４はバルブ、５はファネル、６は屈曲部、７はワイヤ、８はワイヤ保護管、９はバルーンエア管、１０は腹部、１１は腹部孔、１２は膀胱、１３は膀胱内壁である。
【００１６】  図１に示したように、本発明の膀胱用カテーテルの使用においては、任意の角度に屈曲可能なワイヤ７が、カテーテルのファネル５またはバルブ４から挿入され、シャフト３を挿通してシャフト３の先端のバルーン２までの間に装着されている。このワイヤ７は化学的に安定な高分子材料で被膜されていて、ワイヤ６が挿入されたシャフト３は任意の角度に屈曲可能で、ワイヤの塑性により、屈曲した形状を保持可能である。
【００１７】  これにより、シャフト３は腹部孔１１から直角に曲げられ、膀胱１２に挿入される。バルーン２先端側孔１の部分は、腹部に直角の状態で、膀胱内壁面１２に図に挿入される。その結果、膀胱内壁１４にカテーテルの側孔１の先端が接触する可能性が少なくなる。従って、尿道症や感染症を引き起こす可能性が小さくなる。
【００１８】  また、腹部孔１１でシャフト３を直角に曲げてカテーテルを挿入するので、ずれたり、抜けたりする装着時の不安定差は解消される。さらに、カテーテルを腹部に固定するときに、カテーテルを柔らかい素材で包み、肌の損傷保護材として使用するので肌を痛めることはない。
【符号の説明】
【００１９】１，１４・・・側孔      ２，１５・・・バルーン      ３，１６・・・シャフト
４，１７・・・バルブ      ５，１８・・・ファネル      ６，１９・・・屈曲部
７，２０・・・ワイヤ      ８，２１・・・ワイヤ保護管
９，２２・・・バルーンエア管      １０，２３・・・腹部
１１，２４・・・腹部孔１２，２５・・・膀胱      １３，２６・・・膀胱内壁
【図１】
2019017965.tif 000003
【図２】
2019017965.tif 000004
【図３】
2019017965.tif 000005
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
一方の端部にファネルを備え、他方の端にバルーンを備えたシャフトを有する膀胱用カテーテルにおいて、前記シャフトの前記ファネルと前記バルーンの間に、高分子材料で被覆されたワイヤが挿通され、前記シャフトが任意の角度に屈曲可能で、前記ワイヤの塑性により、屈曲した形状を保持可能であることを特徴とする、膀胱用カテーテル。